(57)【要約】      （修正有）【課題】抗菌性及び／又は抗ウィルス性を有するマスクを提供する。【解決手段】マスク本体部１００と、耳掛け紐４とを少なくとも備えるマスクであり、該マスク本体部が、第１シート１と、第２シートとを少なくとも備え、該第１シートが、抗菌剤または抗ウィルス剤を含み、ユーザが該マスクを該ユーザの顔面に装着したときに、該ユーザの該顔面側から順に、第２シートと、第１シートとが配され、該耳掛け紐が、該マスク本体部の左右両端部のそれぞれに配されている。【選択図】図１
0003233604.tif 000002
【実用新案登録請求の範囲】
【請求項１】
マスク本体部と、耳掛け紐とを少なくとも備えるマスクであり、
該マスク本体部が、第１シートと、第２シートとを少なくとも備え、
該第１シートが、抗菌剤（←■権利範囲を広くするために「銅系」であることに限定しておりません。また、銅系抗菌剤の量が２％〜２０％で効果があることは、明細書中に記載します。）を含み、
ユーザが該マスクを該ユーザの顔面に装着したときに、
該ユーザの該顔面側から順に、該第２シートと、該第１シートとが配され、
該耳掛け紐が、該マスク本体部の左右両端部のそれぞれに配されている、マスク。
【請求項２】
マスク本体部と、耳掛け紐とを少なくとも備えるマスクであり、
該マスク本体部が、第１シートと、第２シートとを少なくとも備え、
該第１シートが、抗ウィルス剤（←■抗菌剤とは区別する目的で抗ウィルス剤についても規定しました。）を含み、
ユーザが該マスクを該ユーザの顔面に装着したときに、
該ユーザの該顔面側から順に、該第２シートと、該第１シートとが配され、
該耳掛け紐が、該マスク本体部の左右両端部のそれぞれに配されている、マスク。
【考案の詳細な説明】
【技術分野】
【０００１】
本考案は、マスクに関する。
【背景技術】
【０００２】
近年、病原菌となる細菌やウィルス（例えば、新型コロナウィルス等）の除去、アレルギーを引き起こす花粉やハウスダストの除去、屋外や作業現場での粉塵の除去などのために、マスクの需要が非常に高まっている。このため、マスクに関する研究・開発が盛んに行われているのが現状である（例えば、特許文献１を参照。）。
【先行技術文献】
【特許文献】
【０００３】
【特許文献１】登録実用新案公報第３１５４８０６号
【考案の概要】
【考案が解決しようとする課題】
【０００４】
しかしながら、特許文献１で提案された技術では、マスクの再利用やマスクの廃棄時における細菌感染やウィルス感染を抑制するには十分ではないおそれがあり、また、細菌やウィルスを速やかに不活化することができないおそれがある。
【０００５】
そこで、本考案は、このような状況を鑑みてなされたものであり、抗菌性及び／又は抗ウィルス性を有するマスクを提供することを主目的とする。
【課題を解決するための手段】
【０００６】
本考案者は、上述の目的を解決するために鋭意研究を行った結果、驚くべきことに、マスクの再利用やマスクの廃棄時における細菌感染やウィルス感染を抑制することに成功し、また、細菌やウィルスを速やかに不活化することができることに成功し、本考案を完成するに至った。
【０００７】
すなわち、本考案は、マスク本体部と、耳掛け紐とを少なくとも備えるマスクであり、該マスク本体部が、該第１シートと、該第２シートとを少なくとも備え、該第１シートが、抗菌剤を含み、ユーザが該マスクを該ユーザの顔面に装着したときに、該ユーザの該顔面側から順に、第２シートと、第１シートとが配され、該耳掛け紐が、該マスク本体部の左右両端部のそれぞれに配されている、マスクを提供する。
【０００８】
また、本考案は、マスク本体部と、耳掛け紐とを少なくとも備えるマスクであり、該マスク本体部が、第１シートと、第２シートとを少なくとも備え、該第１シートが、抗ウィルス剤を含み、ユーザが該マスクを該ユーザの顔面に装着したときに、該ユーザの該顔面側から順に、該第２シートと、該第１シートとが配され、該耳掛け紐が、該マスク本体部の左右両端部のそれぞれに配されている、マスクを提供する。
【考案の効果】
【０００９】
本考案によれば、抗菌性及び／又は抗ウィルス性を有するマスクが提供され得る。
【図面の簡単な説明】
【００１０】
【図１】図１は、本考案に係るマスクの斜視図である。
【図２】図２は、本考案に係るマスクの平面図である。
【図３】図３は、本考案に係るマスクの平面図である。
【考案を実施するための形態】
【００１１】
本考案に係るマスクについて、図１〜図３を用いて説明する。
【００１２】
図１は、本考案に係るマスクの斜視図であり、より具体的には、マスク１００の斜視図である。
【００１３】
図２は、本考案に係るマスクの平面図であり、より具体的には、ユーザの顔面に装着しようとするときの顔面側（内側）のマスク１００の平面図である。
【００１４】
図３は、本考案に係るマスクの平面図であり、より具体的には、ユーザの顔面に装着しようとするときの外気側（外側）のマスク１００の平面図である。
【００１５】
マスク１００は、マスク本体部と、耳掛け紐４とを少なくとも備える。マスク本体部は、第１シート１と、第２シート２とを備え、第１シート１は、抗菌剤及び／又は抗ウィルス剤を含む。ユーザがマスク１００をユーザの顔面に装着したときに、ユーザの顔面側から順に、第２シート６と、第１シート１とが配されている。耳掛け紐４は、マスク本体部の左右両端部のそれぞれに配されている。
【００１６】
第１シート１は、不織布シート（第１不織布シート１と称する。）から構成されてよく、第２シート６は、不織布シート（第２不織布シート６）から構成されてよい。図示はされていないが、第１不織布シート（第１シート）１と、第２不織布シート（第２シート）６との間に、不織布フィルタ（フィルタ）が配されていてもよい。すなわち、マスク１００が備えるマスク本体部は、３層構造を有していてよい。この３層構造によって、ＰＭ２．５、ウィルス飛沫、黄砂、花粉等の侵入が防止され得る。なお、マスク１００が備えるマスク本体部は、１つ以上の不織布シートを更に備えて、４層以上の構造を有していてもよい。
【００１７】
第１不織布シート（第１シート）１は、上述したとおり、抗菌剤及び／又は抗ウィルス剤を含む。
抗菌剤としては、例えば、銅系抗菌剤等が挙げられる。また、抗ウィルス剤としては、例えば、銅系抗菌剤等が挙げられる。第１不織布シート（第１シート）１は、抗菌ペレット及び／又は抗ウィルスペレットと、ポリプロピレン（ＰＰ）ペレットとの繊維練りこみ加工で製造される。より具体的には、第１不織布シート（第１シート）１は、抗菌ペレット及び／又は抗ウィルスペレット２〜２０質量％に対して、ポリプロピレン（ＰＰ）ペレット９８質量％〜８０質量％にして、繊維練りこみ加工で製造される。なお、抗菌ペレット及び／又は抗ウィルスペレットの質量％と、ポリプロピレン（ＰＰ）ペレットの質量％との合計は１００質量％である。そして、第１不織布シート（第１シート）１が、２〜２０質量％の抗菌ペレット及び／又は抗ウィルスペレットを用いて製造されると、マスク１００は、抗菌性及び／又は抗ウィルス性、さらに防臭性を有する。
【００１８】
例えば、抗ウィルスペレット１０質量％に対して、ポリプロピレン（ＰＰ）ペレット９０質量％にして、繊維練りこみ加工で製造された第１不織布シート（第１シート）１を用いて、抗ウィルス（インフルエンザウィルス（Ｈ１Ｎ１）検体）試験を行ったところ、活性率は９９．７％であった。
【００１９】
第２不織布シート（第２シート）６は、スパンボンド製法で作製された不織布から構成され、例えば、ポリプロピレン不織布から構成される。不織布フィルタ（フィルタ）は、メルトブロー法で作製された不織布から構成され、例えば、ポリプロピレン不織布から構成される。
【００２０】
マスク１００においては、ユーザがマスクをユーザの前記顔面に装着しようとするときに、ユーザの鼻に対向するように、第１ワイヤ（ノーズワイヤ）２がマスク本体部に配されている。すなわち、第１ワイヤ（ノーズワイヤ）２は、マスク本体部の上部に取り付けられている。また、マスク１００においては、ユーザがマスクをユーザの前記顔面に装着しようとするときに、ユーザの口元に対向するように、第２ワイヤ（口元ワイヤ）３がマスク本体に配されている。すなわち、第２ワイヤ（口元ワイヤ）３は、マスク本体の箱襞（オメガプリーツ（立体プリーツ））５に取り付けられている。なお、マスク１００において、第２ワイヤ（口元ワイヤ）３が配されていなくてもよい。
【００２１】
第１ワイヤ（ノーズワイヤ）２及び第２ワイヤ（口元ワイヤ）３は、マスク本体部の素材（例えば不織布）との加工性・親和性の観点から、やや硬い塑性プラスチック細型材が好適である。第１ワイヤ（ノーズワイヤ）２及び第２ワイヤ（口元ワイヤ）３を構成する材料（材質）は、例えばポリエチレン等が挙げられる。第１ワイヤ（ノーズワイヤ）２及び第２ワイヤ（口元ワイヤ）３がマスク１００に配されることによって、顔面の複雑な個体差ある曲面にフィットさせることができる。
【００２２】
特に、第２ワイヤ（口元ワイヤ）３がマスク１００に配されることによって、口元近傍に対応するマスク１００の部分を円形状（曲面状）に膨らみを有して保持することができ、ユーザがマスクを装着しても喋りやすく、また、ユーザが女性の場合は、化粧（例えば口紅）がマスクに付着することを防止できることとなる。
【符号の説明】
【００２３】
１・・・第１シート（第１不織布シート）、
２・・・第１ワイヤ（ノーズワイヤ）、
３・・・第２ワイヤ（口元ワイヤ）、
４・・・耳掛け紐、
５・・・箱襞、
６・・・第２シート（第２不織布シート）、
１００・・・マスク。
【図１】
0003233604.tif 000003
【図２】
0003233604.tif 000004
【図３】
0003233604.tif 000005